(57)【要約】  【課題】異種ネットワークに接続された端末間で互いのプレゼンスを確認可能とする技術を提供する。  【解決手段】ＳＩＰ端末２は、通知プレゼンス情報およびプレゼンス取得要求をＳＩＰメッセージでプレゼンスサーバ１に送信し、配信プレゼンス情報をＳＩＰメッセージでプレゼンスサーバ１から受信する。メール端末３は、通知プレゼンス情報およびプレゼンス取得要求を電子メールでプレゼンスサーバ１に送信し、配信プレゼンス情報を電子メールでプレゼンスサーバ１から受信する。プレゼンスサーバ１は、ＳＩＰメッセージまたは電子メールで受信した通知プレゼンス情報に従いプレゼンス通知元のプレゼンスを更新し、ＳＩＰメッセージまたは電子メールで受信したプレゼンス取得要求に従い配信プレゼンス情報を生成し、この配信プレゼンス情報をプレゼンス取得要求元に、この要求元がＳＩＰ端末２ならばＳＩＰメッセージ、メール端末３ならば電子メールで送信する。【選択図】図１
2015002544.tif 000002
【特許請求の範囲】
【請求項１】
プレゼンスサーバを用いてプレゼンスサービスを提供するプレゼンスサービス方法であって、
前記プレゼンスサーバと同じネットワークに所属する第一の端末は、
自端末のユーザのプレゼンスが記述された通知プレゼンス情報、および前記プレゼンスサーバから所望の相手のプレゼンスを取得するためのプレゼンス取得要求を、それぞれ所定のメッセージを用いて前記プレゼンスサーバに送信するとともに、前記所望の相手のプレゼンスが記述された配信プレゼンス情報を、所定のメッセージにより前記プレゼンスサーバから受信し、
前記プレゼンスサーバとは別のネットワークに所属する第二の端末は、
前記通知プレゼンス情報および前記プレゼンス取得要求を、それぞれ電子メールを用いて前記プレゼンスサーバに送信するとともに、前記配信プレゼンス情報を前記電子メールにより前記プレゼンスサーバから受信し、
前記プレゼンスサーバは、
所定のメッセージあるいは電子メールにより受信した前記通知プレゼンス情報に従い、自プレゼンスサーバが管理している当該通知プレゼンス情報の送信元端末のユーザのプレゼンスを更新し、
所定のメッセージあるいは電子メールにより受信した前記プレゼンス取得要求に従い、当該プレゼンス取得要求で指定されているユーザのプレゼンスが記述された前記配信プレゼンス情報を生成し、当該配信プレゼンス情報を、前記プレゼンス取得要求の送信元端末に、当該送信元端末が前記第一の端末ならば所定のメッセージを用いて送信し、当該送信元端末が前記第二の端末ならば電子メールを用いて送信する
ことを特徴とするプレゼンスサービス方法。
【請求項２】
プレゼンスサービスを提供するプレゼンスサーバであって、
前記プレゼンスサービスを利用する第一および第二の端末のユーザのプレゼンスを記憶するプレゼンス記憶手段と、
前記第一の端末と所定のメッセージを送受信するメッセージ送受信手段と、
前記第二の端末と電子メールを送受信するメール送受信手段と、
前記メッセージ送受信手段を介して前記第一の端末から受信した所定のメッセージを解析して、当該所定のメッセージが前記第一の端末のユーザのプレゼンスを前記プレゼンスサーバに通知するためのプレゼンス通知、あるいは所望のユーザのプレゼンスを前記プレゼンスサーバから取得するためのプレゼンス取得要求であるか否かを判断するメッセージ解析手段と、
前記メール送受信手段を介して前記第二の端末から受信した電子メールを解析して、当該電子メールが前記プレゼンス通知あるいは前記プレゼンス取得要求であるか否かを判断するメール解析手段と、
前記メッセージ解析手段により前記メッセージ送受信手段を介して前記第一の端末から受信した所定のメッセージが前記プレゼンス通知であると判断された場合、あるいは前記メール解析手段により前記メール送受信手段を介して前記第二の端末から受信した電子メールが前記プレゼンス通知であると判断された場合に、当該プレゼンス通知と判断された所定のメッセージあるいは電子メールの送信元端末のユーザに対応付けられて前記プレゼンス記憶手段に記憶されているプレゼンスを、当該プレゼンス通知に記述されているプレゼンスに更新するプレゼンス更新手段と、
前記メッセージ解析手段により前記メッセージ送受信手段を介して前記第一の端末から受信した所定のメッセージが前記プレゼンス取得要求であると判断された場合に、当該プレゼンス取得要求で指定されているユーザに対応付けられて前記プレゼンス記憶手段に記憶されているプレゼンスが記述されたプレゼンス配信を、所定のメッセージを用いて前記メッセージ送受信手段から当該第一の端末に送信し、前記メール解析手段により前記メール送受信手段を介して前記第二の端末から受信した電子メールが前記プレゼンス取得要求であると判断された場合に、当該プレゼンス取得要求で指定されているユーザに対応付けられて前記プレゼンス記憶手段に記憶されているプレゼンスが記述された電子メールを、前記プレゼンス配信として、前記メール送受信手段から当該第二の端末に送信するプレゼンス配信手段と、を有する
ことを特徴とするプレゼンスサーバ。
【請求項３】
請求項２に記載のプレゼンスサーバであって、
前記メール解析手段は、
前記メール送受信手段が受信した電子メールのタイトルに記述されている文字列に基づいて、当該電子メールが前記プレゼンス通知あるいは前記プレゼンス取得要求であるか否かを判断し、当該電子メールが前記プレゼンス通知あるいは前記プレゼンス取得要求であると判断したならば、当該電子メールのメール本文から前記プレゼンス通知あるいは前記プレゼンス取得要求の内容を抽出する
ことを特徴とするプレゼンスサーバ。
【請求項４】
請求項２または３に記載のプレゼンスサーバであって、
前記プレゼンス配信手段は、
前記メール解析手段により前記メール送受信手段を介して前記第二の端末から受信した電子メールが前記プレゼンス取得要求であると判断された場合に、プレゼンス配信を示す所定の文字列がタイトルに記述され、当該プレゼンス取得要求で指定されているユーザに対応付けられて前記プレゼンス記憶手段に記憶されているプレゼンスがメール本文に記述された電子メールを、前記プレゼンス取得要求として前記メール送受信手段から当該第二の端末に送信する
ことを特徴とするプレゼンスサーバ。
【請求項５】
プレゼンスサービスを利用可能なメール端末であって、
前記プレゼンスサービスを提供するプレゼンスサーバと電子メールを送受信するメール送受信手段と、
自メール端末のユーザのプレゼンスが更新される都度、更新後のプレゼンスを前記プレゼンスサーバに通知するためのプレゼンス通知を、電子メールを用いて前記メール送受信手段から前記プレゼンスサーバに送信するプレゼンス通知手段と、
自メール端末のユーザの指示に従い、前記プレゼンスサーバから所望の相手のプレゼンスを取得するためのプレゼンス取得要求を、電子メールを用いて前記メール送受信手段から前記プレゼンスサーバに送信するプレゼンス取得要求手段と、
前記メール送受信手段を介して前記プレゼンスサーバから受信した電子メールを解析して、当該電子メールが前記プレゼンス取得要求で指定されている所望の相手のプレゼンスを配信するためのプレゼンス配信であるか否かを判断するメール解析手段と、
前記メール解析手段により前記メール送受信手段を介して前記プレゼンスサーバから受信した電子メールが前記プレゼンス配信であると判断された場合に、当該プレゼンス配信の内容を出力するプレゼンス出力手段と、を有する
ことを特徴とするメール端末。
【請求項６】
請求項５に記載のメール端末であって、
前記メール解析手段は、
電子メールのタイトルに記述されている文字列に基づいて、当該電子メールが前記プレゼンス配信であるか否かを判断し、当該電子メールが前記プレゼンス配信であると判断したならば、当該電子メールのメール本文から前記プレゼンス配信の内容を抽出する
ことを特徴とするメール端末。
【請求項７】
請求項５または６に記載のメール端末であって、
前記プレゼンス通知手段は、
プレゼンス配信を示す所定の文字列がタイトルに記述され、自メール端末のユーザのプレゼンスがメール本文に記述された電子メールを、前記プレゼンス通知として前記プレゼンスサーバに送信し、
前記プレゼンス取得要求手段は、
プレゼンス取得要求を示す所定の文字列がタイトルに記述され、所望の相手の指定がメール本文に記述された電子メールを、前記プレゼンス取得要求として前記プレゼンスサーバに送信する
ことを特徴とするメール端末。
【請求項８】
コンピュータを、
プレゼンスサービスを利用する、第一および第二の端末のユーザのプレゼンスを記憶するプレゼンス記憶手段、
前記第一の端末と所定のメッセージを送受信するメッセージ送受信手段、
前記第二の端末と電子メールを送受信するメール送受信手段、
前記メッセージ送受信手段を介して前記第一の端末から受信した所定のメッセージを解析して、当該所定のメッセージが、前記第一の端末のユーザのプレゼンスを前記プレゼンスサーバに通知するためのプレゼンス通知、あるいは所望のユーザのプレゼンスを前記プレゼンスサーバから取得するためのプレゼンス取得要求であるか否かを判断するメッセージ解析手段、
前記メール送受信手段を介して前記第二の端末から受信した電子メールを解析して、当該電子メールが前記プレゼンス通知あるいは前記プレゼンス取得要求であるか否かを判断するメール解析手段、
前記メッセージ解析手段により前記メッセージ送受信手段を介して前記第一の端末から受信した所定のメッセージが前記プレゼンス通知であると判断された場合、あるいは前記メール解析手段により前記メール送受信手段を介して前記第二の端末から受信した電子メールが前記プレゼンス通知であると判断された場合に、当該プレゼンス通知と判断された所定のメッセージあるいは電子メールの送信元端末のユーザに対応付けられて前記プレゼンス記憶手段に記憶されているプレゼンスを、当該プレゼンス通知に記述されているプレゼンスに更新するプレゼンス更新手段、および
前記メッセージ解析手段により前記メッセージ送受信手段を介して前記第一の端末から受信した所定のメッセージが前記プレゼンス取得要求であると判断された場合に、当該プレゼンス取得要求で指定されているユーザに対応付けられて前記プレゼンス記憶手段に記憶されているプレゼンスが記述されたプレゼンス配信を、所定のメッセージを用いて前記メッセージ送受信手段から当該第一の端末に送信し、前記メール解析手段により前記メール送受信手段を介して前記第二の端末から受信した電子メールが前記プレゼンス取得要求であると判断された場合に、当該プレゼンス取得要求で指定されているユーザに対応付けられて前記プレゼンス記憶手段に記憶されているプレゼンスが記述された電子メールを、前記プレゼンス配信として前記メール送受信手段から当該第二の端末に送信するプレゼンス配信手段、として機能させる
ことを特徴とするプログラム。
【請求項９】
コンピュータを、
プレゼンスサービスを提供するプレゼンスサーバと電子メールを送受信するメール送受信手段、
自メール端末のユーザのプレゼンスが更新される都度、更新後のプレゼンスを前記プレゼンスサーバに通知するためのプレゼンス通知を、電子メールを用いて前記メール送受信手段から前記プレゼンスサーバに送信するプレゼンス通知手段、
自メール端末のユーザの指示に従い、前記プレゼンスサーバから所望の相手のプレゼンスを取得するためのプレゼンス取得要求を、電子メールを用いて前記メール送受信手段から前記プレゼンスサーバに送信するプレゼンス取得要求手段、
前記メール送受信手段を介して前記プレゼンスサーバから受信した電子メールを解析して、当該電子メールが前記プレゼンス取得要求で指定されている所望の相手のプレゼンスを配信するためのプレゼンス配信であるか否かを判断するメール解析手段、および
前記メール解析手段により前記メール送受信手段を介して前記プレゼンスサーバから受信した電子メールが前記プレゼンス配信であると判断された場合に、当該プレゼンス配信の内容を出力するプレゼンス出力手段、として機能させる
ことを特徴とするプログラム。
【発明の詳細な説明】
【技術分野】
【０００１】
本発明は、プレゼンスサービス技術に関し、特に、異種ネットワークに接続された端末間で互いのプレゼンスを確認する技術に関する。
【背景技術】
【０００２】
ＳＩＰ（Ｓｅｓｓｉｏｎ  Ｉｎｉｔｉａｔｉｏｎ  Ｐｒｏｔｏｃｏｌ）を用いて、相手のプレゼンス（状態）を知らせるプレゼンスサービスがある。
【０００３】
このＳＩＰを用いたプレゼンスサービスを提供するプレゼンスサービスシステムにおいて、端末は、ユーザのプレゼンスを通知するためのＳＩＰメッセージであるＰｕｂｌｉｓｈメッセージをプレゼンスサーバに送信する。これを受けて、プレゼンスサーバは、受信したＰｕｂｌｉｓｈメッセージに基づいて、自身が管理している、このＰｕｂｌｉｓｈメッセージの送信元端末のユーザのプレゼンスを更新する。また、端末は、所望の相手のプレゼンスを要求するためのＳＩＰメッセージであるＳｕｂｓｃｒｉｂｅメッセージをプレゼンスサーバに送信する。これを受けて、プレゼンスサーバは、自身が管理しているプレゼンスのなかから、このＳｕｂｓｃｒｉｂｅメッセージで指定されている相手のプレゼンスを特定し、このプレゼンスを配信するためのＳＩＰメッセージであるＮｏｔｉｆｙメッセージをＳｕｂｓｃｒｉｂｅメッセージの送信元端末に送信する。端末は、プレゼンスサーバからＮｏｔｉｆｙメッセージを受信したならば、このＮｏｔｉｆｙメッセージに記述されている所望の相手のプレゼンスを表示する。
【０００４】
ところで、ＳＩＰを用いたプレゼンスサービスを提供するプレゼンスサービスシステムでは、プレゼンスサービスを利用するすべての端末が、プレゼンスサーバと同じＳＩＰネットワークに所属するＳＩＰ端末であることを前提としている。このため、ＳＩＰをサポートしていない端末は、プレゼンスサービスを利用することができない。そこで、この問題を解決するために特許文献１に記載のプレゼンスサービスシステムが提案されている。
【０００５】
特許文献１に記載のプレゼンスサービスシステムでは、プレゼンスサーバが、同じＳＩＰネットワークに所属するＳＩＰ端末のプレゼンス情報を、このＳＩＰネットワークとは別のネットワーク（例えばＳＩＰをサポートしていないＩＰネットワーク）に所属する端末において処理可能な形式に変換して、この別のネットワークに所属する端末に送信する。これにより、プレゼンスサーバと同じＳＩＰネットワークに所属するＳＩＰ端末のプレゼンスを、このＳＩＰネットワークとは別のネットワークに所属する端末において確認できるようにしている。
【先行技術文献】
【特許文献】
【０００６】
【特許文献１】特開２００９−２６７４３７号公報
【発明の概要】
【発明が解決しようとする課題】
【０００７】
上述したように、特許文献１に記載のプレゼンスサービスシステムにおいては、プレゼンスサーバが所属するＳＩＰネットワークとは別のネットワークに所属する端末から、このＳＩＰネットワークに所属するＳＩＰ端末のプレゼンスを確認することができる。しかしながら、このＳＩＰネットワークに所属するＳＩＰ端末から、このＳＩＰネットワークとは別のネットワークに所属する端末のプレゼンスを確認することについては、何ら考慮されていない。
【０００８】
本発明は上記事情に鑑みてなされたものであり、その目的は、異種ネットワークに接続された端末間で互いのプレゼンスを確認可能とする技術を提供することにある。
【課題を解決するための手段】
【０００９】
上記課題を解決するために、本発明において、プレゼンスサーバは、自身と同じネットワークに所属する端末に対しては、所定のメッセージを用いてプレゼンスを送受信し、このネットワークとは別のネットワークに所属する端末に対しては、電子メールを用いてプレゼンスを送受信する。
【００１０】
例えば、本発明のプレゼンスサービス方法は、プレゼンスサーバを用いてプレゼンスサービスを提供するプレゼンスサービス方法であって、
前記プレゼンスサーバと同じネットワークに所属する第一の端末は、
自端末のユーザのプレゼンスが記述された通知プレゼンス情報、および前記プレゼンスサーバから所望の相手のプレゼンスを取得するためのプレゼンス取得要求を、それぞれ所定のメッセージを用いて前記プレゼンスサーバに送信するとともに、前記所望の相手のプレゼンスが記述された配信プレゼンス情報を、所定のメッセージにより前記プレゼンスサーバから受信し、
前記プレゼンスサーバとは別のネットワークに所属する第二の端末は、
前記通知プレゼンス情報および前記プレゼンス取得要求を、それぞれ電子メールを用いて前記プレゼンスサーバに送信するとともに、前記配信プレゼンス情報を前記電子メールにより前記プレゼンスサーバから受信し、
前記プレゼンスサーバは、
所定のメッセージあるいは電子メールにより受信した前記通知プレゼンス情報に従い、自プレゼンスサーバが管理している当該通知プレゼンス情報の送信元端末のユーザのプレゼンスを更新し、
所定のメッセージあるいは電子メールにより受信した前記プレゼンス取得要求に従い、当該プレゼンス取得要求で指定されているユーザのプレゼンスが記述された前記配信プレゼンス情報を生成し、当該配信プレゼンス情報を、前記プレゼンス取得要求の送信元端末に、当該送信元端末が前記第一の端末ならば所定のメッセージを用いて送信し、当該送信元端末が前記第二の端末ならば電子メールを用いて送信する。
【００１１】
また、本発明のプレゼンスサーバは、プレゼンスサービスを提供するプレゼンスサーバであって、
前記プレゼンスサービスを利用する第一および第二の端末のユーザのプレゼンスを記憶するプレゼンス記憶手段と、
前記第一の端末と所定のメッセージを送受信するメッセージ送受信手段と、
前記第二の端末と電子メールを送受信するメール送受信手段と、
前記メッセージ送受信手段を介して前記第一の端末から受信した所定のメッセージを解析して、当該所定のメッセージが、前記第一の端末のユーザのプレゼンスを前記プレゼンスサーバに通知するためのプレゼンス通知、あるいは所望のユーザのプレゼンスを前記プレゼンスサーバから取得するためのプレゼンス取得要求であるか否かを判断するメッセージ解析手段と、
前記メール送受信手段を介して前記第二の端末から受信した電子メールを解析して、当該電子メールが前記プレゼンス通知あるいは前記プレゼンス取得要求であるか否かを判断するメール解析手段と、
前記メッセージ解析手段により前記メッセージ送受信手段を介して前記第一の端末から受信した所定のメッセージが前記プレゼンス通知であると判断された場合、あるいは前記メール解析手段により前記メール送受信手段を介して前記第二の端末から受信した電子メールが前記プレゼンス通知であると判断された場合に、当該プレゼンス通知と判断された所定のメッセージあるいは電子メールの送信元端末のユーザに対応付けられて前記プレゼンス記憶手段に記憶されているプレゼンスを、当該プレゼンス通知に記述されているプレゼンスに更新するプレゼンス更新手段と、
前記メッセージ解析手段により前記メッセージ送受信手段を介して前記第一の端末から受信した所定のメッセージが前記プレゼンス取得要求であると判断された場合に、当該プレゼンス取得要求で指定されているユーザに対応付けられて前記プレゼンス記憶手段に記憶されているプレゼンスが記述されたプレゼンス配信を、所定のメッセージを用いて前記メッセージ送受信手段から当該第一の端末に送信し、前記メール解析手段により前記メール送受信手段を介して前記第二の端末から受信した電子メールが前記プレゼンス取得要求であると判断された場合に、当該プレゼンス取得要求で指定されているユーザに対応付けられて前記プレゼンス記憶手段に記憶されているプレゼンスが記述された電子メールを、前記プレゼンス配信として、前記メール送受信手段から当該第二の端末に送信するプレゼンス配信手段と、を有する。
【００１２】
また、本発明のメール端末は、プレゼンスサービスを利用可能なメール端末であって、
前記プレゼンスサービスを提供するプレゼンスサーバと電子メールを送受信するメール送受信手段と、
自メール端末のユーザのプレゼンスが更新される都度、更新後のプレゼンスを前記プレゼンスサーバに通知するためのプレゼンス通知を、電子メールを用いて前記メール送受信手段から前記プレゼンスサーバに送信するプレゼンス通知手段と、
自メール端末のユーザの指示に従い、前記プレゼンスサーバから所望の相手のプレゼンスを取得するためのプレゼンス取得要求を、電子メールを用いて前記メール送受信手段から前記プレゼンスサーバに送信するプレゼンス取得要求手段と、
前記メール送受信手段を介して前記プレゼンスサーバから受信した電子メールを解析して、当該電子メールが前記プレゼンス取得要求で指定されている所望の相手のプレゼンスを配信するためのプレゼンス配信であるか否かを判断するメール解析手段と、
前記メール解析手段により前記メール送受信手段を介して前記プレゼンスサーバから受信した電子メールが前記プレゼンス配信であると判断された場合に、当該プレゼンス配信の内容を出力するプレゼンス出力手段と、を有する。
【発明の効果】
【００１３】
本発明において、プレゼンスサーバは、自身と同じネットワークに所属する端末に対しては、所定のメッセージを用いてプレゼンスを送受信し、このネットワークとは別のネットワークに所属する端末に対しては、電子メールを用いてプレゼンスを送受信する。このため、本発明によれば、異種ネットワークに接続された端末間で互いのプレゼンスを確認可能とすることができる。
【図面の簡単な説明】
【００１４】
【図１】図１は、本発明の一実施の形態に係るプレゼンスサービスシステムの概略構成図である。
【図２】図２は、本発明の一実施の形態に係るプレゼンスサービスシステムにおいて、メール端末３のユーザのプレゼンスをＳＩＰ端末２によって確認する場合の動作例を示すシーケンス図である。
【図３】図３は、本発明の一実施の形態に係るプレゼンスサービスシステムにおいて、ＳＩＰ端末２のユーザのプレゼンスをメール端末３によって確認する場合の動作例を示すシーケンス図である。
【図４】図４は、プレゼンスサーバ１の概略機能構成図である。
【図５】図５は、プレゼンスサーバ１のプレゼンス情報記憶部１０５の登録内容例を模式的に表した図である。
【図６】図６は、プレゼンスサーバ１のプレゼンス取得要求記憶部１０６の登録内容例を模式的に表した図である。
【図７】図７は、プレゼンスサーバ１の動作を説明するためのフロー図である。
【図８】図８は、メール端末３の概略機能構成図である。
【図９】図９は、メール端末３のプレゼンス情報記憶部３０６の登録内容例を模式的に表した図である。
【図１０】図１０は、メール端末３の動作を説明するためのフロー図である。
【発明を実施するための形態】
【００１５】
以下に、本発明の一実施の形態について説明する。
【００１６】
図１は、本実施の形態に係るプレゼンスサービスシステムの概略構成図である。
【００１７】
図示するように、本実施の形態に係るプレゼンスサービスシステムは、プレゼンスサーバ１と、少なくとも一台のＳＩＰ端末２と、少なくとも一台のメール端末３と、を備えて構成される。プレゼンスサーバ１およびＳＩＰ端末２は、ＬＡＮ６に接続されており、メール端末３は、ＷＡＮ７に接続されている。ＬＡＮ６は、ゲートウェイ（ＧＷ）４を介して異なるネットワークであるＷＡＮ７に接続されている。なお、図１では、ＷＡＮ７にメールサーバ５が接続されているが、メールサーバ５はＬＡＮ６に接続されていてもよい。
【００１８】
プレゼンスサーバ１は、ＳＩＰ端末２およびメール端末３にプレゼンスサービスを提供する。プレゼンスサーバ１は、メールクライアントとしてメールサーバ５に登録され、メール端末３とメールの送受信を行う。ＳＩＰ端末２は、ＳＩＰメッセージを用いてプレゼンスサーバ１のプレゼンスサービスを利用する。一方、メール端末３は、電子メールを用いてプレゼンスサーバ１のプレゼンスサービスを利用する。
【００１９】
図２は、本実施の形態に係るプレゼンスサービスシステムにおいて、メール端末３のユーザＡのプレゼンスをＳＩＰ端末２によって確認する場合の動作例を示すシーケンス図である。
【００２０】
まず、メール端末３は、通信状態、移動、各種操作の受付等により、自メール端末３のユーザＡのプレゼンスが更新されると（Ｓ１００）、更新後のプレゼンスをプレゼンスサーバ１に通知するためのプレゼンス通知メールを作成する（Ｓ１０１）。具体的には、プレゼンス通知メールとして、プレゼンス通知であることを示す文字列（例えばＰｕｂｌｉｓｈ）がタイトルに記述され、更新後のプレゼンスを含むプレゼンス通知がメール本文に記述された電子メールを作成する。そして、このプレゼンス通知メールの宛先アドレスをプレゼンスサーバ１に設定して送信する（Ｓ１０２）。このプレゼンス通知メールは、メールサーバ５を介してプレゼンスサーバ１に送られる。
【００２１】
つぎに、プレゼンスサーバ１は、メールサーバ５を介してメール端末３から電子メールを受信すると、この電子メールを解析して、この電子メールがプレゼンスサービスに関するものであるか否かを判断する（Ｓ１０３）。具体的には、電子メールのタイトルに所定の文字列が記述されているか否かに基づいて、この電子メールが、プレゼンス通知メール、あるいは所望の相手のプレゼンスを要求するためのプレゼンス取得要求メールであるか否かを判断する。ここでは、この電子メールがプレゼンス通知メールであると判断される。プレゼンスサーバ１は、プレゼンス通知メールのメール本文に記述されているプレゼンス通知の内容に従って、自プレゼンスサーバ１が管理しているユーザＡのプレゼンスを更新する（Ｓ１０４）。
【００２２】
その後、ＳＩＰ端末２において、ＳＩＰ端末２のユーザＢより、メール端末３のユーザＡのプレゼンス取得要求操作がなされたものとする。ＳＩＰ端末２は、このユーザＡのプレゼンス取得要求操作を受け付けると（Ｓ１０５）、ユーザＡのプレゼンスをプレゼンスサーバ１に要求するプレゼンス取得要求のためのＳＩＰメッセージであるＳｕｂｓｃｒｉｂｅメッセージを作成する（Ｓ１０６）。そして、このＳｕｂｓｃｒｉｂｅメッセージをプレゼンスサーバ１に送信する（Ｓ１０７）。
【００２３】
つぎに、プレゼンスサーバ１は、ＳＩＰ端末２からＳＩＰメッセージを受信すると、このＳＩＰメッセージを解析し、このＳＩＰメッセージがプレゼンスサービスに関するものであるか否かを判断する（Ｓ１０８）。具体的には、ＳＩＰメッセージがＳｕｂｓｃｒｉｂｅメッセージ、あるいはプレゼンスをプレゼンスサーバ１に通知するプレゼンス通知のためのＰｕｂｌｉｓｈメッセージであるかを判断する。ここでは、このＳＩＰメッセージがＳｕｂｓｃｒｉｂｅメッセージであると判断される。プレゼンスサーバ１は、自プレゼンスサーバ１が管理しているプレゼンスのなかから、Ｓｕｂｓｃｒｉｂｅメッセージにプレゼンスの取得対象者として記述されているユーザＡのプレゼンスを特定する（Ｓ１０９）。そして、ユーザＡのプレゼンスをユーザＢに配信するプレゼンス配信のためのＳＩＰメッセージであるＮｏｔｉｆｙメッセージを作成する（Ｓ１１０）。それから、このＮｏｔｉｆｙメッセージをＳＩＰ端末２に送信する（Ｓ１１１）。
【００２４】
さて、ＳＩＰ端末２は、プレゼンスサーバ１からＮｏｔｉｆｙメッセージを受信すると、このＮｏｔｉｆｙメッセージに記述されているユーザＡのプレゼンスを表示する（Ｓ１１２）。
【００２５】
図３は、本実施の形態に係るプレゼンスサービスシステムにおいて、ＳＩＰ端末２のユーザＢのプレゼンスをメール端末３によって確認する場合の動作例を示すシーケンス図である。
【００２６】
まず、ＳＩＰ端末２は、通信状態、移動、各種操作の受付等により、自ＳＩＰ端末２のユーザＢのプレゼンスが更新されると（Ｓ１２０）、更新後のプレゼンスをプレゼンスサーバ１に通知するプレゼンス通知のためのＳＩＰメッセージであるＰｕｂｌｉｓｈメッセージを作成する（Ｓ１２１）。そして、このＰｕｂｌｉｓｈメッセージをプレゼンスサーバ１に送信する（Ｓ１２２）。
【００２７】
つぎに、プレゼンスサーバ１は、ＳＩＰ端末２からＳＩＰメッセージを受信すると、このＳＩＰメッセージを解析し、このＳＩＰメッセージがプレゼンスサービスに関するものであるか否かを判断する（Ｓ１２３）。具体的には、ＳＩＰメッセージがＳｕｂｓｃｒｉｂｅメッセージ、あるいはＰｕｂｌｉｓｈメッセージであるかを判断する。ここでは、このＳＩＰメッセージがＰｕｂｌｉｓｈメッセージであると判断される。プレゼンスサーバ１は、Ｐｕｂｌｉｓｈメッセージの記述内容に従って、自プレゼンスサーバ１が管理しているユーザＢのプレゼンスを更新する（Ｓ１２４）。
【００２８】
その後、メール端末３において、メール端末３のユーザＡより、ＳＩＰ端末２のユーザＢのプレゼンス取得要求操作がなされたものとする。メール端末３は、このユーザＢのプレゼンス取得要求操作を受け付けると（Ｓ１２５）、ユーザＢのプレゼンスをプレゼンスサーバ１に要求するためのプレゼンス取得要求メールを作成する（Ｓ１２６）。具体的には、プレゼンス取得要求メールとして、プレゼンス取得要求であることを示す文字列（例えばＳｕｂｓｃｒｉｂｅ）がタイトルに記述され、プレゼンスの取得対象者であるユーザＢのユーザ情報等がメール本文に記述された電子メールを作成する。そして、このプレゼンス取得要求メールの宛先アドレスをプレゼンスサーバ１に設定して送信する（Ｓ１２７）。このプレゼンス取得要求メールは、メールサーバ５を介してプレゼンスサーバ１に送られる。
【００２９】
つぎに、プレゼンスサーバ１は、メールサーバ５を介してメール端末３から電子メールを受信すると、この電子メールを解析し、この電子メールがプレゼンスサービスに関するものであるか否かを判断する（Ｓ１２８）。具体的には、電子メールのタイトルに所定の文字列が記述されているか否かに基づいて、この電子メールがプレゼンス通知メールあるいはプレゼンス取得要求メールであるか否かを判断する。ここでは、この電子メールがプレゼンス取得要求メールであると判断される。プレゼンスサーバ１は、自プレゼンスサーバ１が管理しているプレゼンスのなかから、プレゼンス取得要求メールにプレゼンスの取得対象者として記述されているユーザＢのプレゼンスを特定する（Ｓ１２９）。そして、このユーザＢのプレゼンスをユーザＡに配信するためのプレゼンス配信メールを作成する（Ｓ１３０）。具体的には、プレゼンス配信メールとして、プレゼンス配信であることを示す文字列（例えばＮｏｔｉｆｙ）がタイトルに記述され、ユーザＢのプレゼンスを含むプレゼンス情報（配信対象のプレゼンス情報：以下、配信プレゼンス情報）がメール本文に記述された電子メールを作成する。そして、このプレゼンス配信メールの宛先アドレスをメール端末３に設定して送信する（Ｓ１３１）。このプレゼンス配信メールは、メールサーバ５を介してメール端末３に送られる。
【００３０】
さて、メール端末３は、プレゼンスサーバ１からプレゼンス配信メールを受信すると、このプレゼンス配信メールのメール本文に記述されている配信プレゼンス情報に従い、ユーザＢのプレゼンスを表示する（Ｓ１３２）。
【００３１】
つぎに、本実施の形態に係るプレゼンスサービスシステムを構成するプレゼンスサーバ１およびメール端末３の詳細を説明する。なお、ＳＩＰ端末２には、ＳＩＰを用いたプレゼンスサービスに対応した既存のＳＩＰ端末を利用することができるので、その詳細な説明を省略する。
【００３２】
まず、プレゼンスサーバ１の詳細を説明する。
【００３３】
図４は、プレゼンスサーバ１の概略機能構成図である。
【００３４】
図示するように、プレゼンスサーバ１は、ＬＡＮインターフェース部１００と、ＳＩＰメッセージ送受信部１０１と、電子メール送受信部１０２と、ＳＩＰメッセージ解析部１０３と、電子メール解析部１０４と、プレゼンス情報記憶部１０５と、プレゼンス取得要求記憶部１０６と、プレゼンス更新部１０７と、プレゼンス配信部１０８と、を備えている。
【００３５】
ＬＡＮインターフェース部１００は、ＬＡＮ６に接続するためのインターフェースである。
【００３６】
ＳＩＰメッセージ送受信部１０１は、ＬＡＮインターフェース部１００を介してＳＩＰ端末２とＳＩＰメッセージを送受信する。
【００３７】
電子メール送受信部１０２は、ＬＡＮインターフェース部１００を介してメールサーバ５（メール端末３）と電子メールを送受信する。
【００３８】
ＳＩＰメッセージ解析部１０３は、ＳＩＰメッセージ送受信部１０１により受信したＳＩＰメッセージを解析して、このＳＩＰメッセージがプレゼンスサービスに関するＳＩＰメッセージ、すなわちＳｕｂｓｃｒｉｂｅメッセージあるいはＰｕｂｌｉｓｈメッセージであるかを判断する。そして、Ｓｕｂｓｃｒｉｂｅメッセージならば、このＳｕｂｓｃｒｉｂｅメッセージにより特定されるプレゼンス取得要求をプレゼンス取得要求記憶部１０６に記憶する。一方、Ｐｕｂｌｉｓｈメッセージならば、このＰｕｂｌｉｓｈメッセージにより通知されたプレゼンス情報（通知対象のプレゼンス情報：以下、通知プレゼンス情報）をプレゼンス更新部１０７に渡す。
【００３９】
電子メール解析部１０４は、電子メール送受信部１０２により受信した電子メールのタイトルを解析して、この電子メールがプレゼンスサービスに関する電子メール、すなわちプレゼンス取得要求メールあるいはプレゼンス通知メールであるかを判断する。そして、プレゼンス取得要求メールならば、このプレゼンス取得要求メールにより特定されるプレゼンス取得要求をプレゼンス取得要求記憶部１０６に記憶する。一方、プレゼンス通知メールならば、このプレゼンス通知メールにより通知されたプレゼンス情報（通知プレゼンス情報）をプレゼンス更新部１０７に渡す。
【００４０】
プレゼンス情報記憶部１０５には、ＳＩＰ端末２およびメール端末３各々のユーザのプレゼンス情報が記憶される。
【００４１】
図５は、プレゼンス情報記憶部１０５の登録内容例を模式的に表した図である。図示するように、プレゼンス情報記憶部１０５には、ＳＩＰ端末２およびメール端末３のユーザ毎に、プレゼンス情報のレコード１０５０が記憶される。プレゼンス情報のレコード１０５０は、アカウント名等のユーザ情報を登録するフィールド１０５１と、ユーザの連絡先を登録するフィールド１０５２と、ユーザのプレゼンスを表す活動状態を登録するフィールド１０５３と、ユーザの所在地を登録するフィールド１０５４と、ユーザの今後の予定を登録するフィールド１０５５と、を有する。なお、ユーザ名、連絡先および活動状態は必須の情報であるが、所在地および予定は付加的な情報である。このため、フィールド１０５１〜１０５３には必ず情報が登録されるが、フィールド１０５４、１０５５は空欄（ヌルデータ）となる場合がある。
【００４２】
プレゼンス取得要求記憶部１０６には、ＳＩＰ端末２あるいはメール端末３から受け取ったプレゼンス取得要求が記憶される。
【００４３】
図６は、プレゼンス取得要求記憶部１０６の登録内容例を模式的に表した図である。図示するように、プレゼンス取得要求記憶部１０６には、ＳＩＰ端末２およびメール端末３から受け取ったプレゼンス取得要求毎に、プレゼンス取得要求のレコード１０６０が記憶される。プレゼンス取得要求のレコード１０６０は、プレゼンスの取得要求者（プレゼンス取得要求送信元のユーザ）のユーザ情報を登録するフィールド１０６１と、プレゼンスの取得対象者（取得要求者がプレゼンスの取得を望むユーザ）のユーザ情報を登録するフィールド１０６２と、プレゼンスの配信先アドレス（取得要求者がプレゼンスの配信を望む端末のアドレス）を登録するフィールド１０６３と、プレゼンス配信の配信媒体の種別（ＳＩＰメッセージおよび電子メールのいずれか）を登録するフィールド１０６４と、処理状態を登録するフィールド１０６５と、を有する。
【００４４】
プレゼンス更新部１０７は、ＳＩＰメッセージ解析部１０３あるいは電子メール解析部１０４より受け取った通知プレゼンス情報に従ってプレゼンス情報記憶部１０５を更新する。
【００４５】
プレゼンス配信部１０８は、プレゼンス取得要求記憶部１０６に記憶されている未処理のプレゼンス取得要求に従い、取得対象者のプレゼンスを含む配信プレゼンス情報を生成する。そして、プレゼンス取得要求に含まれる配信媒体の種別に従い、プレゼンス取得要求に含まれる配信先アドレスへ、配信プレゼンス情報を含むＮｏｔｉｆｙメッセージをＳＩＰメッセージ送受信部１０１から送信するか、あるいは配信プレゼンス情報を含むプレゼンス配信メールを電子メール送受信部１０２から送信する。
【００４６】
なお、図４に示すプレゼンスサーバ１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびモデム、ＮＩＣ（Ｎｅｔｗｏｒｋ  Ｉｎｔｅｒｆａｃｅ  Ｃａｒｄ）等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することにより実現されるものでもよい。
【００４７】
図７は、プレゼンスサーバ１の動作を説明するためのフロー図である。
【００４８】
プレゼンスサーバ１において、電子メール送受信部１０２は、ＬＡＮインターフェース部１００を介して電子メールを受信すると（Ｓ２００でＹＥＳ）、この電子メールを電子メール解析部１０４に渡す。これを受けて、電子メール解析部１０４は、この電子メールのタイトルを解析し、この電子メールがプレゼンス取得要求メールあるいはプレゼンス通知メールであるかを判断する（Ｓ２０１）。
【００４９】
受信した電子メールがプレゼンス取得要求メールである場合（Ｓ２０１で「プレゼンス取得要求」）、電子メール解析部１０４は、この電子メールのメール本文からプレゼンス取得要求を抽出する。具体的には、メール本文に含まれている監視者（Ｗａｔｃｈｅｒ）タグ、通知者（Ｎｏｔｉｆｉｅｒ）タグ、および連絡先（Ｓｅｎｄ  ｔｏ）タグを認識し、監視者タグからプレゼンスの取得要求者のユーザ情報を、通知者タグからプレゼンスの取得対象者のユーザ情報を、そして、連絡先タグからプレゼンスの配信先アドレスを抽出する。それから、電子メール解析部１０４は、プレゼンス取得要求記憶部１０６に新たなレコード１０６０を追加し、このレコード１０６０に、抽出したプレゼンス取得要求を登録する（Ｓ２０５）。具体的には、追加したレコード１０６０のフィールド１０６１〜１０６３に、プレゼンスの取得要求者、プレゼンスの取得対象者、およびプレゼンスの配信先アドレスを登録する。また、フィールド１０６４には、配信媒体の種別として、プレゼンスの配信先アドレスが電子メールアドレスならば「電子メール」を登録し、ＩＰアドレスならば「ＳＩＰメッセージ」を登録する。また、フィールド１０６５には、処理状態として「未処理」を登録する。それから、Ｓ２２６に進む。
【００５０】
一方、受信した電子メールがプレゼンス通知メールである場合（Ｓ２０１で「プレゼンス通知」）、電子メール解析部１０４は、この電子メールのメール本文から通知プレゼンス情報を抽出する。具体的には、メール本文に含まれている通知者（Ｐｕｂｌｉｓｈｅｒ）タグ、連絡先（Ｃｏｎｔａｃｔ）タグ、活動状況（Ａｃｔｉｖｉｔｙ）タグ、所在地（Ｌｏｃａｔｉｏｎ）タグ、予定（Ｓｃｈｅｄｕｌｅ）タグを認識し、通知者タグからプレゼンスの通知者のユーザ情報を、連絡先タグからプレゼンスの通知者の連絡先を、そして、活動状況タグ、所在地タグ、および予定タグから、プレゼンスの通知者のプレゼンスを表す活動状況、所在地、および予定を抽出する。なお、プレゼンスとして活動状況は必須の情報であるが、所在地および予定は付加的な情報であるため、メール本文には、プレゼンスとして活動状況のみが記述され、所在地、予定が記述されていない場合もある。それから、電子メール解析部１０４は、抽出した通知プレゼンス情報をプレゼンス更新部１０７に渡す。
【００５１】
これを受けて、プレゼンス更新部１０７は、プレゼンス情報記憶部１０５を参照し、プレゼンスの通知者のプレゼンス情報のレコード１０５０、つまりフィールド１０５１にこの通知者のユーザ情報が登録されたレコード１０５０がプレゼンス情報記憶部１０５に存在するか否かを調べる（Ｓ２０２）。プレゼンスの通知者のプレゼンス情報のレコード１０５０がプレゼンス情報記憶部１０５に存在する場合（Ｓ２０２でＹＥＳ）、このレコード１０５０のフィールド１０５２〜１０５５の登録内容を、通知プレゼンス情報に含まれている連絡先、活動状況、所在地、および予定に更新する（Ｓ２０４）。ここで、通知プレゼンス情報に所在地および予定が含まれていない場合、フィールド１０５４、１０５５は空欄とする。それから、プレゼンス更新部１０７は、プレゼンスが更新されたユーザのユーザ情報をプレゼンス配信部１０８に通知して、Ｓ２０６に進む。
【００５２】
また、プレゼンスの通知者のプレゼンス情報のレコード１０５０がプレゼンス情報記憶部１０５に存在しない場合（Ｓ２０２でＮＯ）、プレゼンス更新部１０７は、プレゼンス情報記憶部１０５にレコード１０５０を新たに追加し、このレコード１０５０のフィールド１０５１〜１０５５に、通知プレゼンス情報に含まれている通知者のユーザ情報、連絡先、活動状況、所在地、および予定を登録する（Ｓ２０３）。ここで、通知プレゼンス情報に所在地および予定が含まれていない場合、フィールド１０５４、１０５５は空欄とする。それから、プレゼンス更新部１０７は、プレゼンスが新たに登録されたユーザのユーザ情報をプレゼンス配信部１０８に通知して、Ｓ２０６に進む。
【００５３】
また、ＳＩＰメッセージ送受信部１０１は、ＬＡＮインターフェース部１００を介してＳＩＰメッセージを受信すると（Ｓ２２０でＹＥＳ）、このＳＩＰメッセージをＳＩＰメッセージ解析部１０３に渡す。これを受けて、ＳＩＰメッセージ解析部１０３は、このＳＩＰメッセージを解析し、このＳＩＰメッセージがプレゼンス取得要求のためのＳｕｂｓｃｒｉｂｅメッセージあるいはプレゼンス通知のためのＰｕｂｌｉｓｈメッセージであるかを判断する（Ｓ２２１）。
【００５４】
受信したＳＩＰメッセージがＳｕｂｓｃｒｉｂｅメッセージである場合（Ｓ２２１で「Ｓｕｂｓｃｒｉｂｅ」）、ＳＩＰメッセージ解析部１０３は、このＳｕｂｓｃｒｉｂｅメッセージからプレゼンス取得要求を特定する。具体的には、Ｓｕｂｓｃｒｉｂｅメッセージからプレゼンスの取得要求者および取得対象者を抽出するとともに、このＳｕｂｓｃｒｉｂｅメッセージの送信元アドレスをプレゼンスの配信先アドレスに設定する。それから、ＳＩＰメッセージ解析部１０３は、プレゼンス取得要求記憶部１０６に新たなレコード１０６０を追加し、このレコード１０６０に、特定したプレゼンス取得要求を登録する（Ｓ２２５）。具体的には、追加したレコード１０６０のフィールド１０６１〜１０６３に、プレゼンスの取得要求者、取得対象者、およびプレゼンスの配信先アドレスを登録する。また、フィールド１０６４に、配信媒体の種別として「ＳＩＰメッセージ」を登録し、フィールド１０６５には、処理状態として「未処理」を登録する。それから、Ｓ２２６に進む。
【００５５】
一方、受信したＳＩＰメッセージがＰｕｂｌｉｓｈメッセージである場合（Ｓ２２１で「Ｐｕｂｌｉｓｈ」）、ＳＩＰメッセージ解析部１０３は、このＳＩＰメッセージから通知プレゼンス情報を特定する。具体的には、Ｐｕｂｌｉｓｈメッセージからプレゼンスの通知者のユーザ情報、連絡先、活動状況、所在地、および予定を抽出する。なお、プレゼンスとして活動状況は必須の情報であるが、所在地および予定は付加的な情報であるため、Ｐｕｂｌｉｓｈメッセージには、プレゼンスとして活動状況のみが記述され、所在地、予定が記述されていない場合もある。それから、ＳＩＰメッセージ解析部１０３は、特定した通知プレゼンス情報をプレゼンス更新部１０７に渡す。
【００５６】
これを受けて、プレゼンス更新部１０７は、プレゼンス情報記憶部１０５を参照し、プレゼンスの通知者のプレゼンス情報のレコード１０５０、つまりフィールド１０５１にこの通知者のユーザ情報が登録されたレコード１０５０がプレゼンス情報記憶部１０５に存在するか否かを調べる（Ｓ２２２）。プレゼンスの通知者のプレゼンス情報のレコード１０５０がプレゼンス情報記憶部１０５に存在する場合（Ｓ２２２でＹＥＳ）、このレコード１０５０のフィールド１０５２〜１０５５の登録内容を、通知プレゼンス情報に含まれている連絡先、活動状況、所在地、および予定に更新する（Ｓ２２４）。ここで、通知プレゼンス情報に所在地および予定が含まれていない場合、フィールド１０５４、１０５５は空欄とする。それから、プレゼンス更新部１０７は、プレゼンスが更新されたユーザのユーザ情報をプレゼンス配信部１０８に通知して、Ｓ２０６に進む。
【００５７】
また、プレゼンスの通知者のプレゼンス情報のレコード１０５０がプレゼンス情報記憶部１０５に存在しない場合（Ｓ２２２でＮＯ）、プレゼンス更新部１０７は、プレゼンス情報記憶部１０５にレコード１０５０を新たに追加し、このレコード１０５０のフィールド１０５１〜１０５５に、通知プレゼンス情報に含まれている通知者のユーザ情報、連絡先、活動状況、所在地、および予定を登録する（Ｓ２２３）。ここで、通知プレゼンス情報に所在地および予定が含まれていない場合、フィールド１０５４、１０５５は空欄とする。それから、プレゼンス更新部１０７は、プレゼンスが新たに登録されたユーザのユーザ情報をプレゼンス配信部１０８に通知して、Ｓ２０６に進む。
【００５８】
つぎに、Ｓ２０６において、プレゼンス配信部１０８は、プレゼンス取得要求記憶部１０６を参照し、プレゼンス更新部１０７から通知されたユーザ情報がプレゼンスの取得対象者としてフィールド１０６２に登録され、かつフィールド１０６５の処理状態が「未処理」であるプレゼンス取得要求のレコード１０６０を検索する。該当するプレゼンス取得要求のレコード１０６０を検索できなかった場合は（Ｓ２０６でＮＯ）、Ｓ２００に戻る。
【００５９】
一方、該当するプレゼンス取得要求のレコード１０６０を検索できた場合（Ｓ２０６でＹＥＳ）、プレゼンス配信部１０８は、このプレゼンス取得要求のレコード１０６０のフィールド１０６４に登録されている配信媒体の種別を調べる（Ｓ２０７）。そして、配信媒体の種別が電子メールならば（Ｓ２０７で「電子メール」）、このプレゼンス取得要求のレコード１０６０のフィールド１０６３に配信先アドレスとして登録されている電子メールアドレスを宛先アドレスとする電子メールを、プレゼンス更新部１０７から通知されたユーザのプレゼンス配信メールとして作成する（Ｓ２０８）。具体的には、まず、プレゼンス更新部１０７から通知されたユーザ情報がフィールド１０５１に登録されているプレゼンスのレコード１０５０を配信プレゼンス情報としてプレゼンス情報記憶部１０５から検索し、つぎに、プレゼンス配信メールであることを示す文字列がタイトルに記述され、通知者（Ｎｏｔｉｆｉｅｒ）タグ、連絡先（Ｃｏｎｔａｃｔ）タグ、活動状況（Ａｃｔｉｖｉｔｙ）タグ、所在地（Ｌｏｃａｔｉｏｎ）タグ、および予定（Ｓｃｈｅｄｕｌｅ）タグがメール本文に設けられ、これらの通知者タグ、連絡先タグ、活動状況タグ、所在地タグ、および予定タグに、検索した配信プレゼンス情報のレコード１０５０のフィールド１０５１〜１０５５の登録内容が記述された電子メールを作成する。なお、検索した配信プレゼンス情報のレコード１０５０のフィールド１０５４、１０５５が空欄の場合は、メール本文に所在地タグおよび予定タグを設けなくてもよい。
【００６０】
つぎに、プレゼンス配信部１０８は、このようにして作成したプレゼンス配信メールを電子メール送受信部１０２に渡す。これを受けて、電子メール送受信部１０２は、このプレゼンス配信メールをＬＡＮインターフェース部１００から送信する（Ｓ２０９）。それから、プレゼンス配信部１０８は、プレゼンス取得要求記憶部１０６を参照し、検索したプレゼンス取得要求のレコード１０６０のフィールド１０６５に登録されている処理状況を「未処理」から「処理済」に更新する（Ｓ２１０）。その後、Ｓ２００に戻る。
【００６１】
また、検索したプレゼンス取得要求のレコード１０６０のフィールド１０６４に登録されている配信媒体の種別がＳＩＰメッセージならば（Ｓ２０７で「ＳＩＰメッセージ」）、プレゼンス配信部１０８は、このプレゼンス取得要求のレコード１０６０のフィールド１０６３に配信先アドレスとして登録されているＩＰアドレスを宛先アドレスとするＳＩＰメッセージを、プレゼンス更新部１０７から通知されたユーザのプレゼンス配信のためのＮｏｔｉｆｙメッセージとして作成する（Ｓ２１１）。具体的には、まず、プレゼンス更新部１０７から通知されたユーザ情報がフィールド１０５１に登録されているプレゼンス情報のレコード１０５０を配信プレゼンス情報としてプレゼンス情報記憶部１０５から検索し、つぎに、検索した配信プレゼンス情報のレコード１０５０のフィールド１０５１〜１０５５に登録されている通知者のユーザ情報、連絡先、活動状況、所在地、および予定が記述されたＮｏｔｉｆｙメッセージを作成する。なお、検索した配信プレゼンス情報のレコード１０５０のフィールド１０５４、１０５５が空欄の場合は、Ｎｏｔｉｆｙメッセージに所在地および予定を含めなくてもよい。
【００６２】
つぎに、プレゼンス配信部１０８は、このようにして作成したＮｏｔｉｆｙメッセージをＳＩＰメッセージ送受信部１０１に渡す。これを受けて、ＳＩＰメッセージ送受信部１０１は、このＮｏｔｉｆｙメッセージをＬＡＮインターフェース部１００から送信する（Ｓ２１２）。それから、プレゼンス配信部１０８は、プレゼンス取得要求記憶部１０６を参照し、検索したプレゼンス取得要求のレコード１０６０のフィールド１０６５に登録されている処理状況を「未処理」から「処理済」に更新する（Ｓ２１３）。その後、Ｓ２００に戻る。
【００６３】
また、Ｓ２２６において、プレゼンス配信部１０８は、プレゼンス取得要求記憶部１０６に新たに追加されたプレゼンス取得要求のレコード１０６０のフィールド１０６２に登録されているプレゼンスの取得対象者を特定する。そして、プレゼンス情報記憶部１０５を参照し、この取得対象者のユーザ情報がフィールド１０５１に登録されているプレゼンス情報のレコード１０５０を通知プレゼンス情報として検索する。該当するプレゼンス情報のレコード１０５０を検索できなかった場合は（Ｓ２２６でＮＯ）、Ｓ２００に戻る。
【００６４】
一方、該当するプレゼンス情報のレコード１０５０を検索できた場合（Ｓ２２６でＹＥＳ）、プレゼンス配信部１０８は、プレゼンス取得要求記憶部１０６に新たに追加されたプレゼンス取得要求のレコード１０６０のフィールド１０６４に登録されている配信媒体の種別を調べる（Ｓ２２７）。そして、配信媒体の種別が電子メールならば（Ｓ２２７で「電子メール」）、このプレゼンス取得要求のレコード１０６０のフィールド１０６３に配信先アドレスとして登録されている電子メールアドレスを宛先アドレスとする電子メールを、プレゼンスの取得対象者のプレゼンス配信メールとして作成する（Ｓ２２８）。具体的には、プレゼンス配信メールであることを示す文字列がタイトルに記述され、通知者（Ｎｏｔｉｆｉｅｒ）タグ、連絡先（Ｃｏｎｔａｃｔ）タグ、活動状況（Ａｃｔｉｖｉｔｙ）タグ、所在地（Ｌｏｃａｔｉｏｎ）タグ、および予定（Ｓｃｈｅｄｕｌｅ）タグがメール本文に設けられ、これらの通知者タグ、連絡先タグ、活動状況タグ、所在地タグ、および予定タグに、検索したプレゼンス情報のレコード１０５０のフィールド１０５１〜１０５５の登録内容が記述された電子メールを作成する。なお、検索したレコード１０５０のフィールド１０５４、１０５５が空欄の場合は、メール本文に所在地タグおよび予定タグを設けなくてもよい。
【００６５】
つぎに、プレゼンス配信部１０８は、このようにして作成したプレゼンス配信メールを電子メール送受信部１０２に渡す。これを受けて、電子メール送受信部１０２は、このプレゼンス配信メールをＬＡＮインターフェース部１００から送信する（Ｓ２２９）。それから、プレゼンス配信部１０８は、プレゼンス取得要求記憶部１０６に新たに追加されたプレゼンス取得要求のレコード１０６０のフィールド１０６５に登録されている処理状況を「未処理」から「処理済」に更新する（Ｓ２３０）。その後、Ｓ２００に戻る。
【００６６】
また、プレゼンス取得要求記憶部１０６に新たに追加されたプレゼンス取得要求のレコード１０６０のフィールド１０６４に登録されている配信媒体の種別がＳＩＰメッセージならば（Ｓ２２７で「ＳＩＰメッセージ」）、プレゼンス配信部１０８は、このプレゼンス取得要求のレコード１０６０のフィールド１０６３に配信先アドレスとして登録されているＩＰアドレスを宛先アドレスとするＳＩＰメッセージを、プレゼンスの取得対象者のプレゼンス配信のためのＮｏｔｉｆｙメッセージとして作成する（Ｓ２３１）。具体的には、通知プレゼンス情報として検索したプレゼンス情報のレコード１０５０のフィールド１０５１〜１０５５に登録されている取得対象者のユーザ情報、連絡先、活動状況、所在地、および予定が記述されたＮｏｔｉｆｙメッセージを作成する。なお、通知プレゼンス情報として検索したプレゼンス情報のレコード１０５０のフィールド１０５４、１０５５が空欄の場合は、Ｎｏｔｉｆｙメッセージに所在地および予定を含めなくてもよい。
【００６７】
つぎに、プレゼンス配信部１０８は、このようにして作成したＮｏｔｉｆｙメッセージをＳＩＰメッセージ送受信部１０１に渡す。これを受けて、ＳＩＰメッセージ送受信部１０１は、このＮｏｔｉｆｙメッセージをＬＡＮインターフェース部１００から送信する（Ｓ２３２）。それから、プレゼンス配信部１０８は、プレゼンス取得要求記憶部１０６を参照し、検索したプレゼンス取得要求のレコード１０６０のフィールド１０６５に登録されている処理状況を「未処理」から「処理済」に更新する（Ｓ２３３）。その後、Ｓ２００に戻る。
【００６８】
つぎに、メール端末３の詳細を説明する。
【００６９】
図８は、メール端末３の概略機能構成図である。
【００７０】
図示するように、メール端末３は、ＷＡＮインターフェース部３００と、マンマシンインターフェース部３０１と、電子メール送受信部３０２と、ＧＰＳデータ受信部３０３と、現在地算出部３０４と、地図データ記憶部３０５と、プレゼンス情報記憶部３０６と、プレゼンス管理部３０７と、プレゼンス取得要求部３０８と、電子メール解析部３０９と、プレゼンス出力部３１０と、を備えている。
【００７１】
ＷＡＮインターフェース部３００は、有線あるいは無線を用いてＷＡＮ７に接続するためのインターフェースである。
【００７２】
マンマシンインターフェース部３０１は、ユーザに情報を表示したり、ユーザから指示を受け付けたりするためのインターフェースであり、例えばタッチセンサ付き液晶パネルで構成される。
【００７３】
電子メール送受信部３０２は、ＷＡＮインターフェース部３００を介してメールサーバ５（プレゼンスサーバ１）と電子メールを送受信する。
【００７４】
ＧＰＳデータ受信部３０３は、ＧＰＳ（Ｇｌｏｂａｌ  Ｐｏｓｉｔｉｏｎｉｎｇ  Ｓｙｓｔｅｍ）衛星から発信されるＧＰＳデータを逐次受信する。
【００７５】
現在地算出部３０４は、定期的に、ＧＰＳデータ受信部３０３により受信された最新のＧＰＳデータと、地図データ記憶部３０５に記憶されている地図データとに基づいて、現在地の住所を算出する。
【００７６】
プレゼンス情報記憶部３０６には、自メール端末３のユーザのプレゼンス情報が記憶される。
【００７７】
図９は、プレゼンス情報記憶部３０６の登録内容例を模式的に表した図である。図示するように、プレゼンス情報記憶部３０６には、自メール端末３のユーザのプレゼンス情報のレコード３０６０が記憶される。プレゼンス情報のレコード３０６０は、アカウント名等のユーザ情報を登録するフィールド３０６１と、ユーザの連絡先を登録するフィールド３０６２と、ユーザのプレゼンスを表す活動状態を登録するフィールド３０６３と、ユーザの所在地を登録するフィールド３０６４と、ユーザの今後の予定を登録するフィールド３０６５と、を有する。
【００７８】
プレゼンス管理部３０７は、マンマシンインターフェース部３０１を介してユーザより受け付けたプレゼンス更新操作に従い、あるいは現在地算出部３０４により現在地の住所が変更される毎に、プレゼンス情報記憶部３０６に記憶されているプレゼンス情報のレコード３０６０を更新する。また、プレゼンス情報記憶部３０６に記憶されているプレゼンス情報のレコード３０６０が更新される毎に、このレコード３０６０の登録内容を含み、プレゼンスサーバ１の電子メールアドレスを宛先アドレスとするプレゼンス通知メールを作成する。そして、電子メール送受信部３０２およびＷＡＮインターフェース部３００を介してメールサーバ５に、このプレゼンス通知メールを送信する。
【００７９】
プレゼンス取得要求部３０８は、マンマシンインターフェース部３０１を介してユーザより受け付けたプレゼンス取得要求操作に従い、プレゼンスの取得要求者である自メール端末３のユーザのユーザ情報、プレゼンスの取得対象者のユーザ情報、および取得要求者の連絡先（配信先アドレス）を含み、プレゼンスサーバ１の電子メールアドレスを宛先アドレスとするプレゼンス取得要求メールを作成する。そして、電子メール送受信部３０２およびＷＡＮインターフェース部３００を介してメールサーバ５に、この作成したプレゼンス取得要求メールを送信する。
【００８０】
電子メール解析部３０９は、電子メール送受信部３０２により受信した電子メールのタイトルを解析し、この電子メールがプレゼンスサービスに関する電子メール、すなわちプレゼンス配信メールであるか否かを判断する。そして、プレゼンス配信メールであるならば、このプレゼンス配信メールにより特定される配信プレゼンス情報の内容をプレゼンス出力部３１０に渡す。
【００８１】
プレゼンス出力部３１０は、電子メール解析部３０９より受け取った配信プレゼンス情報の内容をマンマシンインターフェース部３０１に表示する。
【００８２】
なお、図８に示すメール端末３の機能構成は、プレゼンスサーバ１と同様、ＡＳＩＣ、ＦＰＧＡなどの集積ロジックＩＣによりハード的に実現されるものでもよいし、あるいはＤＳＰなどの計算機によりソフトウエア的に実現されるものでもよい。または、ＣＰＵ、メモリ、ＨＤＤ、ＤＶＤ−ＲＯＭ等の補助記憶装置、およびモデム、ＮＩＣ等の通信インターフェースを備えたＰＣ等の汎用コンピュータにおいて、ＣＰＵが所定のプログラムを補助記憶装置からメモリ上にロードして実行することにより実現されるものでもよい。
【００８３】
図１０は、メール端末３の動作を説明するためのフロー図である。
【００８４】
メール端末３において、電子メール送受信部３０２は、ＷＡＮインターフェース部３００を介して電子メールを受信すると（Ｓ３００でＹＥＳ）、この電子メールを電子メール解析部３０９に渡す。これを受けて、電子メール解析部３０９は、この電子メールのタイトルを解析して、この電子メールがプレゼンス配信メールであるかを判断する（Ｓ３０１）。そして、受信した電子メールがプレゼンス配信メールである場合（Ｓ３０１でＹＥＳ）、電子メール解析部３０９は、この電子メールのメール本文から配信プレゼンス情報を抽出する。具体的には、メール本文に含まれている通知者タグ、連絡先タグ、活動状況タグ、所在地タグ、および予定タグを認識し、通知者タグから通知者のユーザ情報を、連絡先タグから通知者の連絡先を、活動状況タグから通知者の活動状況を、所在地タグから通知者の現在の所在地を、そして予定タグから通知者の予定を抽出する。ただし、所在地タグおよび予定タグはメール本文に設けられていない場合がある。それから、電子メール解析部３０９は、抽出した配信プレゼンス情報をプレゼンス出力部３１０に出力する。これを受けて、プレゼンス出力部３１０は、マンマシンインターフェース部３０１に、この配信プレゼンス情報の内容を表示する（Ｓ３０２）。
【００８５】
また、プレゼンス取得要求部３０８は、マンマシンインターフェース部３０１を介してユーザから、取得対象者の指定を伴うプレゼンス取得要求操作を受け付けると（Ｓ３１０でＹＥＳ）、プレゼンスサーバ１の電子メールアドレスを宛先アドレスとする電子メールを、この操作で指定された取得対象者のプレゼンスを要求するプレゼンス取得要求メールとして作成する（Ｓ３１１）。具体的には、プレゼンス取得要求メールであることを示す文字列がタイトルに記述され、メール本文に監視者タグ、通知者タグ、および連絡先タグが設けられ、そして、この監視者タグ、通知者タグ、および連絡先タグに、プレゼンスの取得要求者である自メール端末３のユーザのユーザ情報、プレゼンスの取得対象者のユーザ情報、および自メール端末３の電子メールアドレスが記述された電子メールを作成する。それから、プレゼンス取得要求部３０８は、作成したプレゼンス取得要求メールを、電子メール送受信部３０２を介してＷＡＮインターフェース部３００からメールサーバ５（プレゼンスサーバ１）に送信する（Ｓ３１２）。
【００８６】
また、プレゼンス管理部３０７は、マンマシンインターフェース部３０１を介してユーザからプレゼンス更新操作を受け付けると（Ｓ３２０でＹＥＳ）、この操作内容に従い、プレゼンス情報記憶部３０６に記憶されている自メール端末３のユーザのプレゼンス情報を更新する（Ｓ３２１）。つぎに、プレゼンス管理部３０７は、プレゼンスサーバ１のメールアドレスを宛先アドレスとし、自メール端末３のユーザのプレゼンスを通知するためのプレゼンス通知メールを作成する（Ｓ３２２）。具体的には、プレゼンス通知メールであることを示す文字列がタイトルに記述され、通知者タグ、連絡先タグ、活動状況タグ、所在地タグ、および予定タグがメール本文に設けられ、この通知者タグ、連絡先タグ、活動状況タグ、所在地タグ、および予定タグに、プレゼンス情報記憶部３０６に記憶されているプレゼンス情報のレコード３０６０のフィールド３０６１〜３０６５の登録内容が記述された電子メールを作成する。なお、レコード３０６０のフィールド３０６４、３０６５が空欄の場合は、メール本文に所在地タグおよび予定タグを設けなくてもよい。それから、プレゼンス管理部３０７は、作成したプレゼンス通知メールを、電子メール送受信部３０２を介してＷＡＮインターフェース部３００からメールサーバ５（プレゼンスサーバ１）に送信する（Ｓ３２３）。
【００８７】
また、現在地算出部３０４は、定期的に到来する所在地更新タイミングになると（Ｓ３３０でＹＥＳ）、ＧＰＳデータ受信部３０３により受信された最新のＧＰＳデータに基づいて現在地の座標（緯度、経度）を算出して、地図データ記憶部３０５に記憶されている地図データから、この現在地の座標に対応する住所を特定する（Ｓ３３１）。そして、現在地算出部３０４は、現在地の住所をプレゼンス管理部３０７に渡す。これを受けて、プレゼンス管理部３０７は、プレゼンス情報記憶部３０６に記憶されているプレゼンス情報のレコード３０６０のフィールド３０６４を参照し、現在地の住所が、このフィールド３０６４に登録されている所在地から変化しているか否かを判断する（Ｓ３３２）。そして、現在地の住所が所在地から変化しているならば（Ｓ３３２でＹＥＳ）、フィールド３０６４の登録内容を現在地の住所に更新する（Ｓ３３３）。それから、プレゼンス管理部３０７は、プレゼンスサーバ１の電子メールアドレスを宛先アドレスとする電子メールを、自メール端末３のユーザの更新後のプレゼンス情報を通知するためのプレゼンス通知メールを作成する（Ｓ３２２）。具体的には、プレゼンス通知メールであることを示す文字列がタイトルに記述され、通知者タグ、連絡先タグ、活動状況タグ、所在地タグ、および予定タグがメール本文に設けられ、この通知者タグ、連絡先タグ、活動状況タグ、所在地タグ、および予定タグに、プレゼンス情報記憶部３０６に記憶されている更新後のプレゼンス情報のレコード３０６０のフィールド３０６１〜３０６５の登録内容が記述された電子メールを作成する。なお、レコード３０６０のフィールド３０６４、３０６５が空欄の場合は、メール本文に所在地タグおよび予定タグを設けなくてもよい。そして、このプレゼンス通知メールを、電子メール送受信部３０２を介してＷＡＮインターフェース部３００からメールサーバ５（プレゼンスサーバ１）に送信する（Ｓ３２３）。
【００８８】
以上、本発明の一実施の形態を説明した。
【００８９】
本実施の形態において、プレゼンスサーバ１は、自身と同じＬＡＮ（ＳＩＰネットワーク）６に所属しているＳＩＰ端末２に対しては、ＳＩＰメッセージを用いてプレゼンスを送受信し、ＬＡＮ６とは別のネットワークであるＷＡＮ７に所属しているメール端末３に対しては、電子メールを用いてプレゼンスを送受信する。このため、本実施の形態によれば、ＳＩＰネットワークに所属しているＳＩＰ端末２とＳＩＰネットワークに所属していないメール端末３との間で互いのプレゼンスを確認することができる。
【００９０】
また、本実施の形態において、プレゼンスサーバ１は、メール端末３から受信した電子メールを解析し、タイトルに所定の文字列が記述されているか否かに基づいて、この電子メールがプレゼンス通知メールあるいはプレゼンス取得要求メールであるか否かを判断している。したがって、本実施の形態によれば、自身が所属するＳＩＰネットワーク以外のネットワークに所属する端末から、独自のプロトコルを用いることなく、プレゼンスに関する情報を受信することができる。
【００９１】
また、本実施の形態において、プレゼンスサーバ１は、プレゼンス配信メールであることを示す所定の文字列がタイトルに記述され、配信対象のプレゼンスを含む配信プレゼンス情報がメール本文に記述された電子メールを、プレゼンス配信メールとしてメール端末３に送信する。したがって、本実施の形態によれば、自身が所属するＳＩＰネットワーク以外のネットワークに所属する端末に対して、独自のプロトコルを用いることなく、プレゼンスに関する情報を送信することができる。
【００９２】
また、本実施の形態において、メール端末３は、プレゼンスサーバ１から受信した電子メールを解析し、タイトルに所定の文字列が記述されているか否かに基づいて、この電子メールがプレゼンス配信メールであるか否かを判断している。したがって、本実施の形態によれば、ＳＩＰメッセージを用いることなく、プレゼンスサーバ１から、プレゼンスに関する情報を受信することができる。
【００９３】
また、本実施の形態において、メール端末３は、プレゼンス通知メールであることを示す所定の文字列がタイトルに記述され、自メール端末３のユーザのプレゼンスを含む通知プレゼンス情報がメール本文に記述された電子メールを、プレゼンス通知メールとしてプレゼンスサーバ１に送信するとともに、プレゼンス取得要求メールであることを示す所定の文字列がタイトルに記述され、取得対象者の指定を伴うプレゼンス取得要求の内容がメール本文に記述された電子メールを、プレゼンス取得要求メールとしてプレゼンスサーバ１に送信する。したがって、本実施の形態によれば、ＳＩＰメッセージを用いることなく、プレゼンスサーバ１に、プレゼンスに関する情報を送信することができる。
【００９４】
なお、本発明は上記の実施の形態に限定されるものではなく、その要旨の範囲内で数々の変形が可能である。
【００９５】
例えば、上記の実施の形態において、プレゼンスサーバ１は、ＳＩＰメッセージを用いて、同じＬＡＮ６に所属する端末（ＳＩＰ端末２）と、プレゼンスに関する情報を送受信しているが、本発明はこれに限定されない。所定のプロトコルに基づくメッセージを用いて、自プレゼンスサーバ１と同じネットワークに所属する端末と、プレゼンスに関する情報を送受信するものであればよい。
【符号の説明】
【００９６】
１：プレゼンスサーバ、  ２：ＳＩＰ端末、  ３：メール端末、Ｓｕｂｓｃｒｉｂｅメッセージ、  ５：メールサーバ、  ６：ＬＡＮ、  ７：ＷＡＮ、１００：ＬＡＮインターフェース部、  １０１：ＳＩＰメッセージ送受信部、  １０２：電子メール送受信部、  １０３：ＳＩＰメッセージ解析部、  １０４：電子メール解析部、  １０５：プレゼンス情報記憶部、  １０６：プレゼンス取得要求記憶部、  １０７：プレゼンス更新部、  １０８：プレゼンス配信部、  ３００：ＷＡＮインターフェース部、  ３０１：マンマシンインターフェース部、  ３０２：電子メール送受信部、  ３０３：ＧＰＳデータ受信部、  ３０４：現在地算出部、  ３０５：地図データ記憶部、  ３０６：プレゼンス情報記憶部、  ３０７：プレゼンス管理部、  ３０８：プレゼンス取得要求部、  ３０９：電子メール解析部、  ３１０：プレゼンス出力部
【図１】
2015002544.tif 000003
【図２】
2015002544.tif 000004
【図３】
2015002544.tif 000005
【図４】
2015002544.tif 000006
【図５】
2015002544.tif 000007
【図６】
2015002544.tif 000008
【図７】
2015002544.tif 000009
【図８】
2015002544.tif 000010
【図９】
2015002544.tif 000011
【図１０】
2015002544.tif 000012